(57)【要約】      （修正有）【課題】容器支えに設けた摺動体が内箱レールから脱落することのない冷蔵庫を提供する。【解決手段】貯蔵室の前面開口部を開閉自在に閉塞する引き出し式の扉と、扉の貯蔵室側に固定され容器を支持する左右一対の容器支えと、容器支えから側方へ突出する軸部１３ａに設けられた摺動体１３ｂと、貯蔵室の内側壁に設けられ摺動体１３ｂが摺動する内箱レール体１６とを備えた冷蔵庫において、内箱レール体１６は、摺動体１３ｂが配設される収納部１８と、収納部１８の上部から下方に突出する上側凸条２６と、収納部１８の下部から上方に突出する下側凸条２７と、上側凸条２６と下側凸条２７との間に形成され貯蔵室と収納部１８とを連通する開口部２８とを備え、開口部２８の上下方向の寸法Ｆが、摺動体１３ｂの上下方向の寸法Ｇ１より小さいことを特徴とする。【選択図】図４
2013068389.tif 000002
【特許請求の範囲】
【請求項１】
貯蔵室の前面開口部を開閉自在に閉塞する引き出し式の扉と、
前記扉の貯蔵室側に固定され容器を支持する左右一対の容器支えと、
前記容器支えから側方へ突出する軸部に設けられた摺動体と、
前記貯蔵室の内側壁に設けられ前記摺動体が摺動する内箱レール体とを備えた冷蔵庫において、
前記内箱レール体は、前記摺動体が配設される収納部と、前記収納部の上部から下方に突出する上側凸条と、前記収納部の下部から上方に突出する下側凸条と、前記上側凸条と前記下側凸条との間に形成され前記貯蔵室と前記収納部とを連通する開口部とを備え、
前記開口部の上下方向の寸法が、前記摺動体の上下方向の寸法より小さいことを特徴とする冷蔵庫。
【請求項２】
前記収納部が、２以上の部材を接合して形成されていることを特徴とする請求項１に記載の冷蔵庫。
【請求項３】
前記摺動体の左右方向への移動を許容する間隙が、前記収納部と前記摺動体との間に設けられていることを特徴とする請求項１又は２に記載の冷蔵庫。
【請求項４】
前記開口部の上下方向の寸法が、前記摺動体が傾斜して前記収納部の側壁に前記摺動体の上端部が当接した状態での前記摺動体の上下方向の寸法より小さいことを特徴とする請求項３に記載の冷蔵庫。
【発明の詳細な説明】
【技術分野】
【０００１】
本実施形態は冷蔵庫に関する。
【背景技術】
【０００２】
近年、冷蔵庫は生活の多様化とともに収納量の大型化傾向にあり、その形態としては、上部に最も貯蔵物収納容積の大きい冷蔵室を設置し、その下部に収納容積の比較的小さい製氷室や温度切替室を幅方向の左右に区分して設け、さらにその下部に野菜室や冷凍室を設置するタイプが多くなっている。
【０００３】
前記冷蔵室は、その前面開口部近傍に一側を枢支した扉、あるいは観音開き式の扉により、前記開口を回動方式で閉塞しており、野菜室や冷凍室や製氷室や温度切替室は、収納物の出し入れ操作の利便性から扉の貯蔵室側に容器を取り付け、前後に引き出し式とするものが多い（例えば、下記特許文献１参照）。
【０００４】
冷蔵庫における引き出し扉の構造は、引き出し扉の内面側に貯蔵室内側へ延びる左右一対の容器支えを固定し、この左右一対の容器支えに容器を保持させる。容器支えは、滑車状の摺動体を介して貯蔵室両側に設けた内箱レールに沿って摺動自在に配置され、引き出し扉の開閉に連動して容器支えに保持された容器が引き出される。
【０００５】
このような引き出し扉の構造では、扉に対して片持ち状に取り付けられた容器支えの位置が安定しにくいため、摺動体が内箱レールから脱落するおそれがある。そこで、左右の容器支えの後部を棒状の後部支持体によって連結し、容器支えの剛性を高めて摺動体が内箱レールから脱落するのを防止している。
【０００６】
しかしながら、容器支えの後部を後部支持体によって連結すると、製造工数の増加に伴い製造コストが増加するとともに、後部支持体の後方に容器を配置することができず容器の容積を拡大しにくいという問題がある。
【先行技術文献】
【特許文献】
【０００７】
【特許文献１】特開２００２−３５００４５号公報
【発明の概要】
【発明が解決しようとする課題】
【０００８】
本発明は、上記問題を考慮してなされたものであり、容器支えの後部を連結する後部支持体を設けることなく、容器支えに設けた摺動体が内箱レールから脱落することのない冷蔵庫を提供することを目的とする。
【課題を解決するための手段】
【０００９】
本実施形態にかかる冷蔵庫は、貯蔵室の前面開口部を開閉自在に閉塞する引き出し式の扉と、前記扉の貯蔵室側に固定され容器を支持する左右一対の容器支えと、前記容器支えから側方へ突出する軸部に設けられ摺動体と、前記貯蔵室の内側壁に設けられ前記摺動体が摺動する内箱レール体とを備えた冷蔵庫において、前記内箱レール体は、前記摺動体が配設される収納部と、前記収納部の上部から下方に突出する上側凸条と、前記収納部の下部から上方に突出する下側凸条と、前記上側凸条と前記下側凸条との間に形成され前記貯蔵室と前記収納部とを連通する開口部とを備え、前記開口部の上下方向の寸法が、前記摺動体の上下方向の寸法より小さいことを特徴とする。
【図面の簡単な説明】
【００１０】
【図１】本発明の一実施形態にかかる冷蔵庫の断面図である。
【図２】図１の冷蔵庫における冷凍室部分を概略的に示す断面図である。
【図３】図１の冷蔵庫における冷凍室扉を引き出した状態における容器支えおよび内箱レール体の斜視図である。
【図４】図３のＡ−Ａ断面図である。
【図５】切断した内箱レール体の斜視図である。
【図６】図３のＡ−Ａ断面図であって、容器支えが変形した状態を示す。
【発明を実施するための形態】
【００１１】
以下、図面に基づき本発明の一実施形態について説明する。図１は冷蔵庫１の縦断面図であり、外箱２と内箱３との間に断熱材４を設けた冷蔵庫本体の内部に貯蔵空間を形成している。
【００１２】
冷蔵庫本体の内部に形成された貯蔵空間は、断熱仕切壁により複数の貯蔵室に区分され、最上部に冷蔵室５が配置されている。冷蔵室５の下方には、断熱仕切壁を介して比較的小容積の製氷室６および図示しない小冷凍室が左右に区分して併置されている。製氷室６および小冷凍室の下方には、野菜などを収納する野菜室７が配設され、最下部に冷凍食品などを収納する冷凍室８が配置されている。
【００１３】
そして、冷蔵庫１に設けられた各貯蔵室５，６，７，８は、野菜室７の背面に配設した冷却器９およびファン１０によって冷気が供給され、所定の設定温度に冷却される。
【００１４】
冷蔵室５の前面開口部は、両側に設けたヒンジにより回動自在に枢支された観音開き式の扉１４によって閉塞されている。冷蔵室５以外の各貯蔵室６，７，８は、引き出し式の扉１１によって閉塞されている。
【００１５】
以下、引き出し式の扉１１の構成として冷凍室８を例に説明する。図２および図３に示すように、冷凍室８の前面開口を閉塞する扉１１には、内箱レール体１６によって摺動自在に支持される左右一対の容器支え１２が固定され、この容器支え１２に容器１５が支持されている。
【００１６】
左右一対の容器支え１２は、所定形状に成形された金属板体からなり、扉１１の冷凍室８内側（庫内側）に固着されている。容器支え１２は、扉１１の左右両側縁部から冷凍室８の内側壁を構成する内箱３の左右側壁に沿って前後方向に延びる板部１２ａを備え、板部１２ａの上下端縁に冷凍室８の内側壁を構成する内箱３へ向けてＬ字状に折れ曲がる下鍔部１２ｂおよび上鍔部１２ｃが設けられている。
【００１７】
下鍔部１２ｂの下面は内箱レール体１６に配設された滑車１７によって摺動可能に支持される。また、下鍔部１２ｂの後部には下方へ突出するストッパー１２ｄが設けられている（図３参照）。上鍔部１２ｃの上面には容器１５の上部開口周縁に形成した縁部が載置されることにより左右一対の容器支え１２が容器１５を下方から支持する。
【００１８】
図３及び図４に示すように、容器支え１２の板部１２ａの後端部、具体的には、容器１５より後方には、内箱レール体１６内を摺動する滑車１３が設けられている。この滑車１３は、板部１２ａから側方へ、つまり、内箱３へ向けて突出する軸部１３ａと、この軸部１３ａによって回転可能に軸支され内箱レール体１６に摺動する摺動体１３ｂとを備える。滑車１３は、軸部１３ａとワッシャ２１との間で板部１２ａを挟み込むことで、容器支え１２の板部１２ａに固定されている。
【００１９】
内箱レール体１６は、例えば合成樹脂を射出成形したものであって、冷凍室８を区画する内箱３の左右側壁に前後方向にわたって配設されている。内箱レール体１６は、その前部に容器支え１２を下方から支持して前後方向に摺動自在とする滑車１７が設けられ、滑車１７の後方に収納部１８が設けられている。内箱レール体１６に設けられた収納部１８内には、容器支え１２の板部１２ａより突出する摺動体１３ｂが配設されている。
【００２０】
詳細には、図４及び図５に示すように、内箱レール体１６は、内箱３の側壁に設けられた凹部３ａに固定される板状の取付板２０と、取付板２０に接合される保持部材２２とを備える。
【００２１】
保持部材２２には、取付板２０に重ね合わせられる固定部２３と、上下に間隔をあけて設けられ固定部２３から立ち上がる上下一対の立ち上がり部２４、２５と、上側の立ち上がり部２４の先端部から下方に向けて突出する上側凸条２６と、下側の立ち上がり部２５の先端部から上方に向けて突出する下側凸条２７と、上側凸条２６と下側凸条２７との間に形成された開口部２８とが、冷蔵庫１の前後方向のほぼ全域にわたって設けられている。
【００２２】
保持部材２２は、固定部２３に係止爪２９が設けられており、取付板２０に設けられた係止孔３０へ係止爪２９を嵌合することで固定部２３を取付板２０に重ね合わせた状態で固定される。このように保持部材２２を取付板２０に固定することで、上下の立ち上がり部２４、２５と、上側凸条２６と、下側凸条２７と、取付板２０とで断面略Ｃ字状の収納部１８が形成される。
【００２３】
収納部１８は、上側凸条２６と下側凸条２７との間に形成され開口部２８を介して冷凍室８と連通しており、容器支え１２に設けられた滑車１３の軸部１３ａが開口部２８に挿通され収納部１８内に滑車１３の摺動体１３ｂが配設される。
【００２４】
図４に示すように、収納部１８の側部を構成する取付板２０と上側凸条２６及び下側凸条２７との間隔Ｄは、摺動体１３ｂの幅方向長さＥより大きく設けられており、収納部１８と摺動体１３ｂとの間に摺動体１３ｂの左右方向（冷蔵庫幅方向）への移動を許容する隙間Ｓが設けられている。
【００２５】
また、上側凸条２６と下側凸条２７との間に形成され開口部２８の上下方向の寸法Ｆは、摺動体１３ｂの上下方向の寸法Ｇ１より小さく設けられ、好ましくは、図６に示すような摺動体１３ｂの上端部が取付板２０に当接するとともに摺動体１３ｂの下端部が下側凸条２７に当接するように傾斜した状態での摺動体１３ｂの上下方向の寸法Ｇ２より小さく設けられる。これにより、収納部１８は、開口部２８によって滑車１３の軸部１３ａを避けつつ摺動体１３ｂの冷凍室８側を上側凸条２６及び下側凸条２７によって覆っている。
【００２６】
上記のような構成の冷蔵庫１では、開扉すべく冷凍室８の扉１１を手前に引っ張ると、扉１１に固着された容器支え１２とともに上鍔部１２ｃの上面に載置された容器１５が前方に引き出される。
【００２７】
その際、内箱レール体１６の前部に設けられた滑車１７が容器支え１２の下鍔部１２ｂの下面を摺動し、容器支え１２の後端部に設けられた滑車１３が内箱レール体１６に設けられた収納部１８の上下部、つまり、上側凸条２６及び下側凸条２７を摺動することで、容器支え１２に載置されている容器１５が引き出される。そして、容器支え１２の下鍔部１２ｂの後部から下方に突出させたストッパー１２ｄが滑車１７に当接することで更なる前方への移動を規制する。
【００２８】
本実施形態の冷蔵庫１のように板部１２ａが扉１１から突出する片持ち状に容器支え１２を扉１１に取り付けると、容器支え１２の板部１２ａが撓んだりあるいは捻れたりして左右方向へ変位しやすく、特に、容器１５に収納された貯蔵物が少なく容器支え１２に作用する荷重が小さい状態では板部１２ａの左右方向の位置が定まりにくくなる。
【００２９】
本実施形態の冷蔵庫１では、上側凸条２６と下側凸条２７との間に形成され開口部２８の上下方向の寸法Ｆが摺動体１３ｂの上下方向の寸法Ｇ１より小さく設けられており、収納部１８に配設された摺動体１３ｂの冷凍室８側を上側凸条２６及び下側凸条２７で覆っているため、容器支え１２の板部１２ａに設けられた滑車１３の左右方向の位置が変位することがあっても、摺動体１３ｂが内箱レール体１６から脱輪することがない。
【００３０】
また、本実施形態の冷蔵庫１では、収納部１８を備えた内箱レール体１６が、取付板２０と保持部材２２とを接合して形成されているため、収納部１８を形成する上側凸条２６及び下側凸条２７がアンダーカット部となっても、射出成形によって内箱レール体１６を容易に成形することができる。
【００３１】
しかも、本実施形態の冷蔵庫１では、収納部１８と摺動体１３ｂとの間に摺動体１３ｂの左右方向への移動を許容する隙間Ｓが設けられているため、外箱２と内箱３との間に断熱材４を充填して冷蔵庫本体を形成する際に内箱３が内側（貯蔵空間側）へ膨張したり収縮したりして貯蔵室の左右方向に寸法ばらつきがあっても、その寸法ばらつきを隙間Ｓによって吸収して摺動体１３ｂを滑らかに収納部１８内に摺動させることができ、扉１１の開閉操作性を悪化させることがない。
【００３２】
また、本実施形態の冷蔵庫１では、上側凸条２６と下側凸条２７との間に形成され開口部２８の上下方向の寸法Ｆが、摺動体１３ｂの上端部が取付板２０に当接するとともに摺動体１３ｂの下端部が下側凸条２７に当接するように傾斜した状態での摺動体１３ｂの上下方向の寸法Ｇ２より小さく設けられる。そのため、容器支え１２の板部１２ａが捻れても収納部１８内に配設された摺動体１３ｂは開口部２８を通り抜けることがなく内箱レール体１６から脱輪することがない。
【００３３】
なお、上記した実施形態は例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００３４】
１…冷蔵庫      ２…外箱      ３…内箱
３ａ…凹部      ４…断熱材      ５…冷蔵室
６…製氷室      ７…野菜室      ８…冷凍室
９…冷却器      １０…ファン      １１…扉
１２…容器支え      １２ａ…板部      １２ｂ…下鍔部
１２ｃ…上鍔部      １２ｄ…ストッパー      １３…滑車
１３ａ…軸部      １３ｂ…摺動体      １４…扉
１５…容器      １６…内箱レール体      １７…滑車
１８…収納部      ２０…取付板      ２１…ワッシャ
２２…保持部材      ２３…固定部      ２４…立ち上がり部
２５…立ち上がり部      ２６…上側凸条      ２７…下側凸条
２８…開口部      ２９…係止爪      ３０…係止孔
【図１】
2013068389.tif 000003
【図２】
2013068389.tif 000004
【図３】
2013068389.tif 000005
【図４】
2013068389.tif 000006
【図５】
2013068389.tif 000007
【図６】
2013068389.tif 000008